(57)【特許請求の範囲】
【請求項１】
サービングゲートウェイ装置が、輻輳を検出した場合、ポリシー及び課金ルールサーバ装置に対して、その旨を通知する工程と、
前記ポリシー及び課金ルールサーバ装置が、前記通知に応じて、加入者情報管理サーバ装置から、無線基地局と前記サービングゲートウェイ装置とのＳ１ベアラ、及び前記サービングゲートウェイ装置とパケットデータネットワークゲートウェイ装置とのＳ５ベアラを利用している移動局に係る課金体系情報を取得する工程と、
前記ポリシー及び課金ルールサーバ装置が、前記通知に応じて、パケットデータネットワークゲートウェイ装置から、前記Ｓ１ベアラ及び前記Ｓ５ベアラ内のフロー単位の通信サービス種別情報を取得する工程と、
前記ポリシー及び課金ルールサーバ装置が、前記課金体系情報及び前記通信サービス種別情報に基づいて、前記Ｓ１ベアラ及び前記Ｓ５ベアラ内の特定のフローに対する帯域調整を行う工程とを有することを特徴とする移動通信方法。
【請求項２】
サービングゲートウェイ装置から、輻輳を検出した旨の通知を受信するように構成されている受信部と、
前記通知に応じて、加入者情報管理サーバ装置から取得した、無線基地局と前記サービングゲートウェイ装置とのＳ１ベアラ、及び前記サービングゲートウェイ装置とパケットデータネットワークゲートウェイ装置とのＳ５ベアラを利用している移動局に係る課金体系情報、及び、パケットデータネットワークゲートウェイ装置から取得した前記Ｓ１ベアラ及び前記Ｓ５ベアラ内のフロー単位の通信サービス種別情報に基づいて、前記Ｓ１ベアラ及び前記Ｓ５ベアラ内の特定のフローに対する帯域調整を行うように構成されている制御部とを具備することを特徴とするポリシー及び課金ルールサーバ装置。
【請求項３】
第１無線アクセスネットワーク及び第２無線アクセスネットワークに接続されているサービングゲートウェイ装置が、該第１無線アクセスネットワーク側で輻輳を検出した場合、ポリシー及び課金ルールサーバ装置に対して、その旨を通知する工程と、
前記ポリシー及び課金ルールサーバ装置が、前記通知を受信した場合で、かつ、前記第２無線アクセスネットワーク側で輻輳が発生していない場合に、加入者情報管理サーバ装置から、前記サービングゲートウェイ装置で設定されているベアラを利用している移動局に係る課金体系情報を取得し、パケットデータネットワークゲートウェイ装置から、前記ベアラ内のフロー単位の通信サービス種別情報を取得する工程と、
前記ポリシー及び課金ルールサーバ装置が、前記課金体系情報及び前記通信サービス種別情報に基づいて、前記サービングゲートウェイ装置に対して、前記ベアラ内の特定のフローについて前記第２無線アクセスネットワークに対してハンドオーバを行うように指示する工程とを有することを特徴とする移動通信方法。
【請求項４】
第１無線アクセスネットワーク及び第２無線アクセスネットワークに接続されているサービングゲートウェイ装置から、該第１無線アクセスネットワーク側で輻輳を検出した旨の通知を受信するように構成されている受信部と、
前記通知を受信した場合で、かつ、前記第２無線アクセスネットワーク側で輻輳が発生していない場合に、加入者情報管理サーバ装置から取得した無線基地局で設定されているベアラを利用している移動局に係る課金体系情報、及び、パケットデータネットワークゲートウェイ装置から取得した該ベアラ内のフロー単位の通信サービス種別情報に基づいて、該サービングゲートウェイ装置に対して、特定のフローについて該第２無線アクセスネットワークに対してハンドオーバを行うように指示するように構成されている制御部とを具備することを特徴とするポリシー及び課金ルールサーバ装置。
【請求項５】
第１無線アクセスネットワーク及び第２無線アクセスネットワークを具備する移動通信システムにおける移動通信方法であって、
前記第１無線アクセスネットワーク内の無線基地局が、輻輳を検出した場合、移動管理ノードに対して、その旨を通知する工程と、
前記移動管理ノードが、前記通知を受信した場合で、かつ、前記第２無線アクセスネットワーク側で輻輳が発生していない場合に、ポリシー及び課金ルールサーバ装置から、前記無線基地局で設定されているベアラを利用している移動局に係る課金体系情報、及び、該ベアラ内のフロー単位の通信サービス種別情報を取得する工程と、
前記移動管理ノードが、前記課金体系情報及び前記通信サービス種別情報に基づいて、サービングゲートウェイ装置に対して、前記ベアラ内の特定のフローについて前記第２無線アクセスネットワークに対してハンドオーバを行うように指示する工程とを有することを特徴とする移動通信方法。
【請求項６】
第１無線アクセスネットワーク及び第２無線アクセスネットワークを具備する移動通信システムで用いられる移動管理ノードであって、
前記第１無線アクセスネットワーク内の無線基地局から、輻輳を検出した旨の通知を受信するように構成されている受信部と、
前記通知を受信した場合で、かつ、前記第２無線アクセスネットワーク側で輻輳が発生していない場合に、ポリシー及び課金ルールサーバ装置から、サービングゲートウェイ装置で設定されているベアラを利用している移動局に係る課金体系情報、及び、該ベアラ内のフロー単位の通信サービス種別情報を取得するように構成されている取得部と、
前記課金体系情報及び前記通信サービス種別情報に基づいて、前記サービングゲートウェイ装置に対して、前記ベアラ内の特定のフローについて前記第２無線アクセスネットワークに対してハンドオーバを行うように指示するように構成されている送信部とを具備することを特徴とする移動管理ノード。
【発明の詳細な説明】
【技術分野】
【０００１】
本発明は、移動通信方法、ポリシー及び課金ルールサーバ装置及び移動管理ノードに関する。
【背景技術】
【０００２】
従来の３ＧＰＰで規定されている移動通信システムでは、Ｓ-ＧＷ（サービングゲートウェイ装置）が、輻輳を検出した場合、ｅＮＢ（無線基地局）に対して、アクセス規制を行うように指示するように構成されている。
【０００３】
具体的には、かかる指示を受けたｅＮＢは、ＵＥ（移動局）に対して、規制時間を通知し、ＵＥは、かかる規制時間が満了するまでは、発信処理を行わないように構成されている。
【先行技術文献】
【非特許文献】
【０００４】
【非特許文献１】３ＧＰＰ  ＴＳ２３.４０１
【非特許文献２】３ＧＰＰ  ＴＳ２３.２０３
【非特許文献３】３ＧＰＰ  ＴＳ３６.３００
【発明の概要】
【発明が解決しようとする課題】
【０００５】
しかしながら、従来の３ＧＰＰで規定されている移動通信システムでは、上述のように、Ｓ-ＧＷが、輻輳を検出した場合に、移動局に対して発信規制を行ってしまうため、より多くの通信を促したい通信事業者の立場として好ましい対応策ではなかった。
【０００６】
また、従来の３ＧＰＰで規定されている移動通信システムでは、Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）方式の無線アクセスネットワークにおける輻輳を検出した場合に、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  ＥＤＧＥ  Ｒａｄｉｏ  Ａｃｃｅｓｓ  Ｎｅｔｗｏｒｋ）方式の無線アクセスネットワークの輻輳状況を事前に確認しておき、かかるＵＴＲＡＮ/ＧＥＲＡＮ方式の無線アクセスネットワークにハンドオーバさせるという仕組みは存在していなかった。
【０００７】
したがって、Ｅ-ＵＴＲＡＮ方式の無線アクセスネットワークにおける輻輳を検出した場合に、ＵＴＲＡＮ/ＧＥＲＡＮ方式の無線アクセスネットワークも輻輳しているにも関わらず、ＵＴＲＡＮ/ＧＥＲＡＮ方式の無線アクセスネットワークにハンドオーバさせ、呼切断に繋がるという事象が発生していた。
【０００８】
また、Ｅ-ＵＴＲＡＮ方式のＳ-ＧＷにおける輻輳が発生している場合に、ＵＴＲＡＮ/ＧＥＲＡＮ方式の無線アクセスネットワーク等にハンドオーバさせるという仕組みも存在していなかった。
【０００９】
そこで、本発明は、上述の課題に鑑みてなされたものであり、Ｓ-ＧＷにおける輻輳が検出された場合、できるだけ多くの通信を継続させることができる移動通信方法、ポリシー及び課金ルールサーバ装置及び移動管理ノードを提供することを目的とする。
【課題を解決するための手段】
【００１０】
本発明の第１の特徴は、移動通信方法であって、サービングゲートウェイ装置が、輻輳を検出した場合、ポリシー及び課金ルールサーバ装置に対して、その旨を通知する工程と、前記ポリシー及び課金ルールサーバ装置が、前記通知に応じて、加入者情報管理サーバ装置から、前記サービングゲートウェイ装置で設定されているベアラを利用している移動局に係る課金体系情報を取得する工程と、前記ポリシー及び課金ルールサーバ装置が、前記通知に応じて、パケットデータネットワークゲートウェイ装置から、前記ベアラ内のフロー単位の通信サービス種別情報を取得する工程と、前記ポリシー及び課金ルールサーバ装置が、前記課金体系情報及び前記通信サービス種別情報に基づいて、前記ベアラ内の特定のフローに対する帯域調整を行う工程とを有することを要旨とする。
【００１１】
本発明の第２の特徴は、ポリシー及び課金ルールサーバ装置であって、サービングゲートウェイ装置から、輻輳を検出した旨の通知を受信するように構成されている受信部と、前記通知に応じて、加入者情報管理サーバ装置から取得した前記サービングゲートウェイ装置で設定されているベアラを利用している移動局に係る課金体系情報、及び、パケットデータネットワークゲートウェイ装置から取得した該ベアラ内のフロー単位の通信サービス種別情報に基づいて、該ベアラ内の特定のフローに対する帯域調整を行うように構成されている制御部とを具備することを要旨とする。
【００１２】
本発明の第３の特徴は、移動通信方法であって、第１無線アクセスネットワーク及び第２無線アクセスネットワークに接続されているサービングゲートウェイ装置が、該第１無線アクセスネットワーク側で輻輳を検出した場合、ポリシー及び課金ルールサーバ装置に対して、その旨を通知する工程と、前記ポリシー及び課金ルールサーバ装置が、前記通知を受信した場合で、かつ、前記第２無線アクセスネットワーク側で輻輳が発生していない場合に、加入者情報管理サーバ装置から、前記サービングゲートウェイ装置で設定されているベアラを利用している移動局に係る課金体系情報を取得し、パケットデータネットワークゲートウェイ装置から、前記ベアラ内のフロー単位の通信サービス種別情報を取得する工程と、前記ポリシー及び課金ルールサーバ装置が、前記課金体系情報及び前記通信サービス種別情報に基づいて、前記サービングゲートウェイ装置に対して、前記ベアラ内の特定のフロー若しくは前記移動局について前記第２無線アクセスネットワークに対してハンドオーバを行うように指示する工程とを有することを要旨とする。
【００１３】
本発明の第４の特徴は、ポリシー及び課金ルールサーバ装置であって、第１無線アクセスネットワーク及び第２無線アクセスネットワークに接続されているサービングゲートウェイ装置から、該第１無線アクセスネットワーク側で輻輳を検出した旨の通知を受信するように構成されている受信部と、前記通知を受信した場合で、かつ、前記第２無線アクセスネットワーク側で輻輳が発生していない場合に、加入者情報管理サーバ装置から取得した前記サービングゲートウェイ装置で設定されているベアラを利用している移動局に係る課金体系情報、及び、パケットデータネットワークゲートウェイ装置から取得した該ベアラ内のフロー単位の通信サービス種別情報に基づいて、該サービングゲートウェイ装置に対して、特定のフロー若しくは前記移動局について前記第２無線アクセスネットワークに対してハンドオーバを行うように指示するように構成されている制御部とを具備することを要旨とする。
【００１４】
本発明の第５の特徴は、第１無線アクセスネットワーク及び第２無線アクセスネットワークを具備する移動通信システムにおける移動通信方法であって、前記第１無線アクセスネットワーク内の無線基地局が、輻輳を検出した場合、移動管理ノードに対して、その旨を通知する工程と、前記移動管理ノードが、前記通知を受信した場合で、かつ、前記第２無線アクセスネットワーク側で輻輳が発生していない場合に、ポリシー及び課金ルールサーバ装置から、前記無線基地局で設定されているベアラを利用している移動局に係る課金体系情報、及び、該ベアラ内のフロー単位の通信サービス種別情報を取得する工程と、前記移動管理ノードが、前記課金体系情報及び前記通信サービス種別情報に基づいて、前記サービングゲートウェイ装置に対して、前記ベアラ内の特定のフロー若しくは前記移動局について前記第２無線アクセスネットワークに対してハンドオーバを行うように指示する工程とを有することを要旨とする。
【００１５】
本発明の第６の特徴は、第１無線アクセスネットワーク及び第２無線アクセスネットワークを具備する移動通信システムで用いられる移動管理ノードであって、前記第１無線アクセスネットワーク内の無線基地局から、輻輳を検出した旨の通知を受信するように構成されている受信部と、前記通知を受信した場合で、かつ、前記第２無線アクセスネットワーク側で輻輳が発生していない場合に、ポリシー及び課金ルールサーバ装置から、前記無線基地局で設定されているベアラを利用している移動局に係る課金体系情報、及び、該ベアラ内のフロー単位の通信サービス種別情報を取得するように構成されている取得部と、前記課金体系情報及び前記通信サービス種別情報に基づいて、前記サービングゲートウェイ装置に対して、前記ベアラ内の特定のフロー若しくは前記移動局について前記第２無線アクセスネットワークに対してハンドオーバを行うように指示するように構成されている送信部とを具備することを要旨とする。
【発明の効果】
【００１６】
以上説明したように、本発明によれば、Ｓ-ＧＷにおける輻輳が検出された場合、できるだけ多くの通信を継続させることができる移動通信方法、ポリシー及び課金ルールサーバ装置及び移動管理ノードを提供することができる。
【００１７】
具体的には、本発明によれば、ポリシー及び課金ルールを勘案して、特定のフローの帯域を調整することができる移動通信方法、ポリシー及び課金ルールサーバ装置及び移動管理ノードを提供することができる。
【００１８】
また、本発明によれば、ポリシー及び課金ルールを勘案して、特定のフローを選び出し、空きのある無線アクセス側に、通信若しくは移動局をハンドオーバさせることができる移動通信方法、ポリシー及び課金ルールサーバ装置及び移動管理ノードを提供することができる。
【図面の簡単な説明】
【００１９】
【図１】本発明の第１の実施形態に係る移動通信システムの全体構成図である。
【図２】本発明の第１の実施形態に係るＳ-ＧＷの機能ブロック図である。
【図３】本発明の第１の実施形態に係るＰＣＲＦの機能ブロック図である。
【図４】本発明の第１の実施形態に係る移動通信システムの動作を説明するための図である。
【図５】本発明の第１の実施形態に係る移動通信システムの動作を説明するための図である。
【図６】本発明の変更例１に係るＰＣＲＦの機能ブロック図である。
【図７】本発明の変更例１に係る移動通信システムの動作を説明するための図である。
【図８】本発明の変更例１に係る移動通信システムの動作を説明するための図である。
【図９】本発明の変更例２に係る移動通信システムの動作を説明するための図である。
【図１０】本発明の変更例２に係る移動通信システムの動作を説明するための図である。
【発明を実施するための形態】
【００２０】
（本発明の第１の実施形態に係る移動通信システム）
図１乃至図５を参照して、本発明の第１の実施形態に係る移動通信システムについて説明する。
【００２１】
図１に示すように、本実施形態に係る移動通信システムは、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー及び課金ルールサーバ装置）と、ＭＭＥ（Ｍｏｂｉｌｉｔｙ  Ｍａｎａｇｅｍｅｎｔ  Ｅｎｔｉｔｙ、移動管理ノード）と、Ｐ-ＧＷ（ＰＤＮ-Ｇａｔｅｗａｙ）と、Ｓ-ＧＷ（Ｓｅｒｖｉｎｇ-Ｇａｔｅｗａｙ）と、ＨＳＳ（Ｈｏｍｅ  Ｓｕｂｓｃｒｉｂｅｒ  Ｓｅｒｖｅｒ、加入者情報管理サーバ装置）と、ＳＧＳＮ（Ｓｅｒｖｉｎｇ  ＧＰＲＳ  Ｓｕｐｐｏｒｔ  Ｎｏｄｅ、パケット交換機）とを具備している。
【００２２】
また、本実施形態に係る移動通信システムは、ＲＮＣ（Ｒａｄｉｏ  Ｎｅｔｗｏｒｋ  Ｃｏｎｔｒｏｌｌｅｒ、無線回線制御局）及びＮｏｄｅＢ（無線基地局）を含むＵＴＲＡＮ/ＧＥＲＡＮと、ｅＮＢ＃１〜ｅＮＢ＃３を含むＥ-ＵＴＲＡＮを具備している。
【００２３】
ここで、Ｐ-ＧＷ及びＳ-ＧＷは、Ｓ５インターフェイスを介して接続することができ、Ｓ-ＧＷ及びｅＮＢ＃１〜ｅＮＢ＃３は、Ｓ１インターフェイスを介して接続することができ、ＭＭＥ及びｅＮＢ＃１〜ｅＮＢ＃３は、Ｓ１-ＭＭＥインターフェイスを介して接続することができ、ＭＭＥ及びＳ-ＧＷは、Ｓ１１インターフェイスを介して接続することができ、ＰＣＲＦ及びＰ-ＧＷは、Ｇｘインターフェイスを介して接続することができる。
【００２４】
なお、Ｓ５インターフェイスにおいてＰＭＩＰ（Ｐｒｏｘｙ  Ｍｏｂｉｌｅ  ＩＰ）が適用されている場合には、ＰＣＲＦ及びＳ-ＧＷは、Ｇｘｃインターフェイスを介して接続することができる。
【００２５】
すなわち、ｅＮＢ＃１〜ｅＮＢ＃３とＵＥとの間では、ＥＰＳ-ＲＡＢ（Ｅｖｏｌｖｅｄ  Ｐａｃｋｅｔ  Ｓｙｓｔｅｍ-Ｒａｄｉｏ  ａｃｃｅｓｓ  Ｂｅａｒｅｒ、無線アクセスベアラ）が設定可能であり、ｅＮＢ＃１〜ｅＮＢ＃３とＳ-ＧＷとの間では、かかるＥＰＳ-ＲＡＢに対応するＳ１ベアラが設定可能であり、Ｓ-ＧＷとＰ-ＧＷとの間では、かかるＥＰＳ-ＲＡＢ/Ｓ１ベアラに対応するＳ５ベアラが設定可能である。
【００２６】
また、Ｐ-ＧＷは、ＰＤＮ（Ｐａｃｋｅｔ  Ｄａｔａ  Ｎｅｔｗｏｒｋ、パケットデータネットワーク）＃１/＃２に接続することができる。
【００２７】
なお、Ｐ-ＧＷには、各ベアラ（Ｓ１ベアラ/Ｓ５ベアラ等）内のフロー単位の通信サービス種別を判定可能なＤＰＩ（Ｄｅｅｐ  Ｐａｃｋｅｔ  Ｉｎｓｐｅｃｔｉｏｎ）を行うことができるＴＤＦ（Ｔｒａｆｆｉｃ  Ｄｅｔｅｃｔｉｏｎ  Ｆｕｎｃｔｉｏｎ）が設けられている。
【００２８】
図２に示すように、Ｓ-ＧＷは、検出部１１と、送信部１２とを具備している。
【００２９】
検出部１１は、Ｓ-ＧＷにおける輻輳、具体的には、Ｅ-ＵＴＲＡＮ側での輻輳及びＵＴＲＡＮ/ＧＥＲＡＮ側での輻輳を検出するように構成されている。
【００３０】
例えば、検出部１１は、Ｓ-ＧＷにおいて処理している呼数が、Ｓ-ＧＷにおいて受付可能な呼数の上限値を超えた場合に、Ｓ-ＧＷにおける輻輳を検出するように構成されている。
【００３１】
送信部１２は、検出部１１によってＳ-ＧＷにおける輻輳が検出された場合に、ＰＣＲＦに対して、その旨を通知するように構成されている。
【００３２】
図３に示すように、ＰＣＲＦは、受信部２１と、ＰＤＦ（Ｐｏｌｉｃｙ  Ｄｅｃｉｓｉｏｎ  Ｆｕｎｃｔｉｏｎ）２２と、送信部２３とを具備している。
【００３３】
受信部２１は、Ｓ-ＧＷから、輻輳を検出した旨の通知を受信するように構成されている。
【００３４】
ＰＤＦ２２は、各ベアラ（或いは、各ベアラ内の各フロー）に対する輻輳を起因とする制御ポリシーを決定するように構成されている。
【００３５】
具体的には、ＰＤＦ２２は、Ｓ-ＧＷにおける輻輳が検出された旨の通知を受信した場合、ＨＳＳから、Ｓ-ＧＷで設定されているＳ１ベアラ及びＳ５ベアラを利用しているＵＥに係る課金体系情報を取得するように構成されている。
【００３６】
例えば、課金体系情報は、該当するＵＥに対して適用されている課金体系（例えば、定額料金やプレミアムサービス用料金等）を示す情報である。
【００３７】
また、ＰＤＦ２２は、Ｓ-ＧＷにおける輻輳が検出された旨の通知を受信した場合、Ｐ-ＧＷから、Ｓ１ベアラ及びＳ５ベアラ内のフロー単位の通信サービス種別情報を取得するように構成されている。
【００３８】
例えば、通信サービス種別情報は、各フローによって提供されている通信サービスの種別（例えば、大量のビデオダウンロードサービス等）を示す情報である。
【００３９】
さらに、ＰＤＦ２２は、かかる課金体系情報及び通信サービス種別情報に基づいて、かかるＳ１ベアラ及びＳ５ベアラ内の特定のフローに対する帯域調整方法を決定するように構成されている。
【００４０】
例えば、ＰＤＦ２２は、Ｓ-ＧＷにおける輻輳が検出された旨の通知を受信した場合、プレミアムサービスが適用されているユーザが利用しているフローや音声通信サービスが行われているフローの帯域については変更せずに、定額料金が適用されているユーザが利用しているフローで、かつ、大量のビデオダウンロードサービスが行われているフローの帯域を小さくするように構成されていてもよい。
【００４１】
送信部２３は、ＰＤＦ２２によって決定された帯域調整方法に基づいて、Ｐ-ＧＷ及びＳ-ＧＷに対して、Ｓ１ベアラ及びＳ５ベアラ内の特定のフローに対する帯域調整を行うように指示する。
【００４２】
以下、図４及び図５を参照して、本実施形態に係る移動通信システムの動作の一例について説明する。
【００４３】
第１に、図４を参照して、Ｓ５インターフェイスにおいてＰＭＩＰが適用されている場合の動作について説明する。
【００４４】
図４に示すように、Ｓ-ＧＷが、ステップＳ１０１において、Ｅ-ＵＴＲＡＮ側で輻輳を検出した場合、ステップＳ１０２において、ＰＣＲＦに対して、Ｇｘｃインターフェイスを介して、その旨を通知する。
【００４５】
ＰＣＲＦ内のＰＤＦは、かかる通知に基づいて、ステップＳ１０３Ａにおいて、Ｐ-ＧＷに対して、Ｇｘインターフェイスを介して、Ｓ-ＧＷで設定されているＳ１ベアラ及びＳ５ベアラ内のフロー単位の通信サービス種別情報を要求し、ステップＳ１０３Ｂにおいて、ＨＳＳに対して、かかるＳ１ベアラ及びＳ５ベアラを利用しているＵＥに係る課金体系情報を要求する。
【００４６】
ステップＳ１０３Ａにおいて、Ｐ-ＧＷ内のＴＤＦが、ＤＰＩを行うことによって、上述のＳ１ベアラ及びＳ５ベアラ内のフロー単位の通信サービス種別を判定し、ＰＣＲＦ内のＰＤＦに対して、Ｇｘインターフェイスを介して、かかる判定結果について通信サービス種別情報として通知する。
【００４７】
また、ステップＳ１０３Ｂにおいて、ＨＳＳは、加入者情報データベースを検索することによって、上述のＳ１ベアラ及びＳ５ベアラを利用しているＵＥに係る課金体系情報を取得し、ＰＣＲＦ内のＰＤＦに対して、かかる課金体系情報を通知する。
【００４８】
ステップＳ１０４において、ＰＣＲＦ内のＰＤＦは、かかる課金体系情報及び通信サービス種別情報に基づいて、かかるＳ１ベアラ及びＳ５ベアラ内の特定のフローに対する帯域調整方法について決定し、Ｐ-ＧＷ及びＳ-ＧＷに対して、Ｇｘインターフェイス及びＧｘｃインターフェイスを介して、上述のＳ１ベアラ及びＳ５ベアラ内の特定のフローに対する帯域調整を指示する「Ｂｅａｒｅｒ  Ｍｏｄｉｆｉｃａｔｉｏｎ」を送信する。
【００４９】
ここで、「Ｂｅａｒｅｒ  Ｍｏｄｉｆｉｃａｔｉｏｎ」の代わりに、３ＧＰＰのＴＳ２３.４０１に規定されている「Ｕｐｄａｔｅ  Ｂｅａｒｅｒ」が用いられてもよいし、他のメッセージが用いられてもよい。
【００５０】
その後、Ｓ-ＧＷ及びＰ-ＧＷは、かかる「Ｂｅａｒｅｒ  Ｍｏｄｉｆｉｃａｔｉｏｎ」に応じて、かかるＳ１ベアラ及びＳ５ベアラ内の特定のフローの帯域を調整する（小さくする）。
【００５１】
第２に、図５を参照して、Ｓ５インターフェイスにおいてＧＴＰ（ＧＰＲＳ  Ｔｕｎｎｅｌｉｎｇ  Ｐｒｏｔｏｃｏｌ）が適用されている場合の動作について説明する。
【００５２】
図５に示すように、Ｓ-ＧＷが、ステップＳ２０１において、Ｅ-ＵＴＲＡＮ側で輻輳を検出した場合、ステップＳ２０２において、Ｐ-ＧＷに対して、Ｓ５インターフェイスを介して、その旨を通知する。
【００５３】
ステップＳ２０３において、Ｐ-ＧＷのＴＤＦは、かかる通知に応じて、ＤＰＩを行うことによって、Ｓ-ＧＷにおいて設定されているＳ１ベアラ及びＳ５ベアラ内のフロー単位の通信サービス種別を判定し、ＰＣＲＦ内のＰＤＦに対して、Ｇｘインターフェイスを介して、上述の通知と共に、かかる判定結果について通信サービス種別情報として通知する。
【００５４】
ステップＳ２０４において、ＰＣＲＦ内のＰＤＦは、ＨＳＳから、かかるＳ１ベアラ及びＳ５ベアラを利用しているＵＥに係る課金体系情報を取得する。
【００５５】
ステップＳ２０５において、ＰＣＲＦ内のＰＤＦは、かかる課金体系情報及び通信サービス種別情報に基づいて、かかるＳ１ベアラ及びＳ５ベアラ内の特定のフローに対する帯域調整方法について決定し、Ｐ-ＧＷに対して、Ｇｘインターフェイスを介して、上述のＳ１ベアラ及びＳ５ベアラ内の特定のフローに対する帯域調整を指示する「Ｂｅａｒｅｒ  Ｍｏｄｉｆｉｃａｔｉｏｎ」を送信する。
【００５６】
ステップＳ２０６において、Ｐ-ＧＷは、かかる「Ｂｅａｒｅｒ  Ｍｏｄｉｆｉｃａｔｉｏｎ」に応じて、かかるＳ１ベアラ及びＳ５ベアラ内の特定のフローの帯域を調整し（小さくし）、Ｓ-ＧＷに対して、Ｓ５インターフェイスを介して、上述のＳ１ベアラ及びＳ５ベアラ内の特定のフローに対する帯域調整を指示する「Ｂｅａｒｅｒ  Ｍｏｄｉｆｉｃａｔｉｏｎ」を送信する。
【００５７】
その後、Ｓ-ＧＷは、かかる「Ｂｅａｒｅｒ  Ｍｏｄｉｆｉｃａｔｉｏｎ」に応じて、かかるＳ１ベアラ及びＳ５ベアラ内の特定のフローの帯域を調整する（小さくする）。
【００５８】
本実施形態に係る移動通信システムによれば、Ｓ-ＧＷが、輻輳を検出した場合に、ＰＣＲＦに対して、その旨を通知し、ＰＣＲＦ内のＰＤＦが、Ｐ-ＧＷ内のＴＤＦと協働することによって、かかるＳ１ベアラ及びＳ５ベアラ内の特定のフローの帯域調整方法を決定することができ、できるだけ多くの通信を継続させることができる。
【００５９】
（変更例１）
以下、図６乃至図８を参照して、本発明の変更例１に係る移動通信システムについて、上述の第１の実施形態に係る移動通信システムとの相違点に着目して説明する。
【００６０】
図６に示すように、本変更例１に係るＭＭＥは、受信部３１と、取得部３２と、判断部２３と、送信部２４とを具備している。
【００６１】
受信部３１は、ｅＮＢから、輻輳を検出した旨の通知を受信するように構成されている。
【００６２】
取得部３２は、受信部３１によって、ｅＮＢにおいて輻輳が検出された旨の通知が受信された場合で、かつ、ＵＴＲＡＮ/ＧＥＲＡＮ側で輻輳が発生していない場合に、ＰＣＲＦ内のＰＤＦから、ｅＮＢで設定されているＳ１ベアラを利用しているＵＥに係る課金体系情報、及び、かかるＳ１ベアラ内のフロー単位の通信サービス種別情報を取得するように構成されている。
【００６３】
判断部３３は、取得部３２によって取得された課金体系情報及び通信サービス種別情報に基づいて、かるＳ１ベアラ内の特定のフローについてハンドオーバを行うべきか否かについて判断するように構成されている。
【００６４】
送信部３４は、判断部３３による判断結果に基づいて、Ｓ-ＧＷに対して、かかるＳ１ベアラ内の特定のフローについてハンドオーバを行うように指示するように構成されている。
【００６５】
以下、図７及び図８を参照して、本変更例１に係る移動通信システムの動作の一例について説明する。
【００６６】
第１に、図７を参照して、Ｓ５インターフェイスにおいてＰＭＩＰが適用されている場合の動作について説明する。
【００６７】
図７に示すように、ｅＮＢ＃１が、ステップＳ３０１において、バッファ溢れを検出することによって、ｅＮＢにおける輻輳を検出した場合、ステップＳ３０２において、ＭＭＥに対して、Ｓ１-ＭＭＥインターフェイスを介して、その旨を通知する。
【００６８】
ステップＳ３０３において、ＭＭＥは、かかる通知を受信した場合で、かつ、ＵＴＲＡＮ/ＧＥＲＡＮ側で輻輳が発生していないと判断した場合に、Ｓ-ＧＷに対して、Ｓ１１インターフェイスを介して、ｅＮＢで設定されているＳ１ベアラを利用しているＵＥに係る課金体系情報、及び、かかるＳ１ベアラ内のフロー単位の通信サービス種別情報を要求する要求信号を送信する。
【００６９】
ステップＳ３０４において、Ｓ-ＧＷは、ＰＣＲＦに対して、Ｇｘｃインターフェイスを介して、かかる要求信号を送信する。
【００７０】
ＰＣＲＦ内のＰＤＦは、ステップＳ３０５Ａにおいて、Ｐ-ＧＷ内のＴＤＦから、Ｇｘインターフェイスを介して、かかるＳ１ベアラ内のフロー単位の通信サービス種別情報を取得し、ステップＳ３０５Ｂにおいて、ＨＳＳから、かかるＳ１ベアラを利用しているＵＥに係る課金体系情報を取得する。
【００７１】
ステップＳ３０６において、ＰＣＲＦ内のＰＤＦは、Ｓ-ＧＷに対して、Ｇｘｃインターフェイスを介して、かかる課金体系情報及び通信サービス種別情報を通知し、ステップＳ３０７において、Ｓ-ＧＷは、ＭＭＥに対して、Ｓ１１インターフェイスを介して、かかる課金体系情報及び通信サービス種別情報を通知する。
【００７２】
この結果、ＭＭＥは、取得した課金体系情報及び通信サービス種別情報に基づいて、かかるＳ１ベアラ内の特定のフロー若しくは移動局ＵＥ（移動局ＵＥの全てのフロー）についてハンドオーバを行うべきであると判断した場合には、Ｓ-ＧＷに対して、かかるＳ１ベアラ内の特定のフロー若しくは移動局ＵＥ（移動局ＵＥの全てのフロー）についてＵＴＲＡＮ/ＧＥＲＡＮに対してハンドオーバするように指示する。
【００７３】
Ｓ-ＧＷは、かかる指示に応じて、かかるＳ１ベアラ内の特定のフロー若しくは移動局ＵＥ（移動局ＵＥの全てのフロー）について、Ｅ-ＵＴＲＡＮからＵＴＲＡＮ/ＧＥＲＡＮに対して切り替える。
【００７４】
第２に、図８を参照して、Ｓ５インターフェイスにおいてＧＴＰが適用されている場合の動作について説明する。
【００７５】
図８に示すように、ｅＮＢ＃１が、ステップＳ４０１において、バッファ溢れを検出することによって、ｅＮＢにおける輻輳を検出した場合、ステップＳ４０２において、ＭＭＥに対して、Ｓ１-ＭＭＥインターフェイスを介して、その旨を通知する。
【００７６】
ステップＳ４０３において、ＭＭＥは、かかる通知を受信した場合で、かつ、ＵＴＲＡＮ/ＧＥＲＡＮ側で輻輳が発生していないと判断した場合に、Ｓ-ＧＷに対して、Ｓ１１インターフェイスを介して、ｅＮＢで設定されているＳ１ベアラを利用しているＵＥに係る課金体系情報、及び、かかるＳ１ベアラ内のフロー単位の通信サービス種別情報を要求する要求信号を送信する。
【００７７】
ステップＳ４０４において、Ｓ-ＧＷは、Ｐ-ＧＷに対して、Ｓ５インターフェイスを介して、かかる要求信号を送信する。
【００７８】
ステップＳ４０５において、Ｐ-ＧＷ内のＴＤＦは、かかる要求信号に応じて、ＤＰＩを行うことによって、ｅＮＢにおいて設定されているＳ１ベアラ内のフロー単位の通信サービス種別を判定し、ＰＣＲＦ内のＰＤＦに対して、Ｇｘインターフェイスを介して、上述の要求信号と共に、かかる判定結果について通信サービス種別情報として通知する。
【００７９】
ステップＳ４０６において、ＰＣＲＦ内のＰＤＦは、ＨＳＳから、かかるＳ１ベアラを利用しているＵＥに係る課金体系情報を取得する。
【００８０】
ステップＳ４０７において、ＰＣＲＦ内のＰＤＦは、Ｐ-ＧＷに対して、Ｇｘインターフェイスを介して、かかる課金体系情報及び通信サービス種別情報を通知し、ステップＳ４０８において、ＳＰＧＷは、Ｓ-ＧＷに対して、Ｓ５インターフェイスを介して、かかる課金体系情報及び通信サービス種別情報を通知し、ステップＳ４０９において、Ｓ-ＧＷは、ＭＭＥに対して、Ｓ１１インターフェイスを介して、かかる課金体系情報及び通信サービス種別情報を通知する。
【００８１】
この結果、ＭＭＥは、取得した課金体系情報及び通信サービス種別情報に基づいて、かかるＳ１ベアラ内の特定のフロー若しくは移動局ＵＥ（移動局ＵＥの全てのフロー）についてハンドオーバを行うべきであると判断した場合には、Ｓ-ＧＷに対して、かかるＳ１ベアラ内の特定のフロー若しくは移動局ＵＥ（移動局ＵＥの全てのフロー）についてＵＴＲＡＮ/ＧＥＲＡＮに対してハンドオーバするように指示する。
【００８２】
Ｓ-ＧＷは、かかる指示に応じて、かかるＳ１ベアラ内の特定のフロー若しくは移動局ＵＥ（移動局ＵＥの全てのフロー）について、Ｅ-ＵＴＲＡＮからＵＴＲＡＮ/ＧＥＲＡＮに対して切り替える。
【００８３】
本変更例１に係る移動通信システムによれば、ＭＭＥが、ｅＮＢにおける輻輳の発生を検出した場合に、ＵＴＲＡＮ/ＧＥＲＡＮの輻輳状況を考慮して、特定フロー若しくは移動局ＵＥ（移動局ＵＥの全てのフロー）についてＵＴＲＡＮ/ＧＥＲＡＮに対してハンドオーバすべきか否かについて判断することができる。
【００８４】
（変更例２）
以下、図９及び図１０を参照して、本発明の変更例２に係る移動通信システムについて、上述の第１の実施形態に係る移動通信システムとの相違点に着目して説明する。
【００８５】
以下、図９及び図１０を参照して、本変更例２に係る移動通信システムの動作の一例について説明する。
【００８６】
第１に、図９を参照して、Ｓ５インターフェイスにおいてＰＭＩＰが適用されている場合の動作について説明する。
【００８７】
図９に示すように、Ｓ-ＧＷが、ステップＳ５０１において、Ｅ-ＵＴＲＡＮ側で輻輳を検出した場合、ステップＳ５０２において、ＰＣＲＦ内のＰＤＦに対して、Ｇｘｃインターフェイスを介して、その旨を通知する。
【００８８】
ＰＣＲＦ内のＰＤＦは、かかる通知を受信した場合で、かつ、ＵＴＲＡＮ/ＧＥＲＡＮ側で輻輳が発生していないと判断した場合に、ステップＳ５０３Ａにおいて、Ｐ-ＧＷ内のＴＤＦから、Ｇｘインターフェイスを介して、かかるＳ１ベアラ内のフロー単位の通信サービス種別情報を取得し、ステップＳ５０３Ｂにおいて、ＨＳＳから、かかるＳ１ベアラを利用しているＵＥに係る課金体系情報を取得する。
【００８９】
ここで、ＰＣＲＦ内のＰＤＦは、取得した課金体系情報及び通信サービス種別情報に基づいて、かかるＳ１ベアラ内の特定のフロー若しくは移動局ＵＥ（移動局ＵＥの全てのフロー）についてハンドオーバを行うべきであると判断した場合には、ステップＳ５０４において、Ｓ-ＧＷに対して、Ｇｘｃインターフェイスを介して、かかるＳ１ベアラ内の特定のフロー若しくは移動局ＵＥ（移動局ＵＥの全てのフロー）についてＵＴＲＡＮ/ＧＥＲＡＮに対してハンドオーバするように指示する。
【００９０】
Ｓ-ＧＷは、かかる指示に応じて、かかるＳ１ベアラ内の特定のフロー若しくは移動局ＵＥ（移動局ＵＥの全てのフロー）について、Ｅ-ＵＴＲＡＮからＵＴＲＡＮ/ＧＥＲＡＮに対して切り替える。
【００９１】
第２に、図１０を参照して、Ｓ５インターフェイスにおいてＧＴＰが適用されている場合の動作について説明する。
【００９２】
図１０に示すように、Ｓ-ＧＷが、ステップＳ６０１において、Ｅ-ＵＴＲＡＮ側で輻輳を検出した場合、ステップＳ６０２において、Ｐ-ＧＷに対して、Ｓ５を介して、その旨を通知する。
【００９３】
ステップＳ６０３において、Ｐ-ＧＷ内のＴＤＦは、かかる通知に応じて、ＤＰＩを行うことによって、Ｓ-ＧＷにおいて設定されているＳ１ベアラ内のフロー単位の通信サービス種別を判定し、ＰＣＲＦ内のＰＤＦに対して、Ｇｘインターフェイスを介して、上述の通知と共に、かかる判定結果について通信サービス種別情報として通知する。
【００９４】
ＰＣＲＦ内のＰＤＦは、かかる通知を受信した場合で、かつ、ＵＴＲＡＮ/ＧＥＲＡＮ側で輻輳が発生していないと判断した場合に、ステップＳ６０４において、ＨＳＳから、かかるＳ１ベアラを利用しているＵＥに係る課金体系情報を取得する。
【００９５】
ＰＣＲＦ内のＰＤＦは、取得した課金体系情報及び通信サービス種別情報に基づいて、かかるＳ１ベアラ内の特定のフロー若しくは移動局ＵＥ（移動局ＵＥの全てのフロー）についてハンドオーバを行うべきであると判断した場合には、ステップＳ６０５において、Ｐ-ＧＷに対して、Ｇｘインターフェイスを介して、かかるＳ１ベアラ内の特定のフロー若しくは移動局ＵＥ（移動局ＵＥの全てのフロー）についてＵＴＲＡＮ/ＧＥＲＡＮに対してハンドオーバするように指示するハンドオーバ指示信号を送信する。
【００９６】
ステップＳ６０６において、Ｐ-ＧＷは、Ｓ-ＧＷに対して、Ｓ５インターフェイスを介して、かかるハンドオーバ指示信号を送信する。
【００９７】
Ｓ-ＧＷは、かかる指示に応じて、かかるＳ１ベアラ内の特定のフロー若しくは移動局ＵＥ（移動局ＵＥの全てのフロー）について、Ｅ-ＵＴＲＡＮからＵＴＲＡＮ/ＧＥＲＡＮに対して切り替える。
【００９８】
本変更例２に係る移動通信システムによれば、ＰＣＲＦ内のＰＤＦが、Ｓ-ＧＷにおける輻輳の発生を検出した場合に、ＵＴＲＡＮ/ＧＥＲＡＮの輻輳状況を考慮して、特定フロー若しくは移動局ＵＥ（移動局ＵＥの全てのフロー）についてＵＴＲＡＮ/ＧＥＲＡＮに対してハンドオーバすべきか否かについて判断することができる。
【００９９】
以上に述べた本実施形態の特徴は、以下のように表現されていてもよい。
【０１００】
本実施形態の第１の特徴は、移動通信方法であって、Ｓ-ＧＷ（サービングゲートウェイ装置）が、輻輳を検出した場合、ＰＣＲＦ（ポリシー及び課金ルールサーバ装置）、具体的には、ＰＣＲＦ内のＰＤＦに対して、その旨を通知する工程と、ＰＣＲＦ内のＰＤＦが、かかる通知に応じて、ＨＳＳ（加入者情報管理サーバ装置）から、Ｓ-ＧＷで設定されているＳ１ベアラ及びＳ５ベアラ（ベアラ）を利用しているＵＥ（移動局）に係る課金体系情報を取得する工程と、ＰＣＲＦ内のＰＤＦが、かかる通知に応じて、Ｐ-ＧＷ（パケットデータネットワークゲートウェイ装置）から、Ｓ１ベアラ及びＳ５ベアラ内のフロー単位の通信サービス種別情報を取得する工程と、ＰＣＲＦ内のＰＤＦが、かかる課金体系情報及びフロー単位の通信サービス種別情報に基づいて、Ｓ１ベアラ及びＳ５ベアラ内の特定のフローに対する帯域調整を行う工程とを有することを要旨とする。
【０１０１】
本実施形態の第２の特徴は、ＰＣＲＦであって、Ｓ-ＧＷから、輻輳を検出した旨の通知を受信するように構成されている受信部２１と、かかる通知に応じて、ＨＳＳから取得したＳ-ＧＷで設定されているＳ１ベアラ及びＳ５ベアラを利用しているＵＥに係る課金体系情報、及び、Ｐ-ＧＷから取得したＳ１ベアラ及びＳ５ベアラ内のフロー単位の通信サービス種別情報に基づいて、かかるＳ１ベアラ及びＳ５ベアラ内の特定のフローに対する帯域調整を行うように構成されているＰＤＦ（制御部）２２とを具備することを要旨とする。
【０１０２】
本実施形態の第３の特徴は、移動通信方法であって、Ｅ-ＵＴＲＡＮ（第１無線アクセスネットワーク）及びＵＴＲＡＮ/ＧＥＲＡＮ（第２無線アクセスネットワーク）に接続されているＳ-ＧＷが、Ｅ-ＵＴＲＡＮ側で輻輳を検出した場合、ＰＣＲＦ内のＰＤＦに対して、その旨を通知する工程と、ＰＣＲＦ内のＰＤＦが、かかる通知を受信した場合で、かつ、ＵＴＲＡＮ/ＧＥＲＡＮ側で輻輳が発生していない場合に、ＨＳＳから、Ｓ-ＧＷで設定されているＳ１ベアラを利用しているＵＥに係る課金体系情報を取得し、Ｐ-ＧＷから、Ｓ１ベアラ内のフロー単位の通信サービス種別情報を取得する工程と、ＰＣＲＦ内のＰＤＦが、かかる課金体系情報及びフロー単位の通信サービス種別情報に基づいて、Ｓ-ＧＷに対して、Ｓ１ベアラ内の特定のフロー若しくは移動局ＵＥについてＵＴＲＡＮ/ＧＥＲＡＮに対してハンドオーバを行うように指示する工程とを有することを要旨とする。
【０１０３】
本実施形態の第４の特徴は、ＰＣＲＦであって、Ｅ-ＵＴＲＡＮ及びＵＴＲＡＮ/ＧＥＲＡＮに接続されているＳ-ＧＷから、Ｅ-ＵＴＲＡＮ側で輻輳を検出した旨の通知を受信するように構成されている受信部２１と、かかる通知を受信した場合で、かつ、ＵＴＲＡＮ/ＧＥＲＡＮ側で輻輳が発生していない場合に、ＨＳＳから取得したＳ-ＧＷで設定されているＳ１ベアラを利用しているＵＥに係る課金体系情報、及び、Ｐ-ＧＷから取得したＳ１ベアラ内のフロー単位の通信サービス種別情報に基づいて、Ｓ-ＧＷに対して、かかるＳ１ベアラ内の特定のフロー若しくは移動局ＵＥについてＵＴＲＡＮ/ＧＥＲＡＮに対してハンドオーバを行うように指示するように構成されているＰＤＦ２２とを具備することを要旨とする。
【０１０４】
本実施形態の第５の特徴は、Ｅ-ＵＴＲＡＮ及びＵＴＲＡＮ/ＧＥＲＡＮを具備する移動通信システムにおける移動通信方法であって、Ｅ-ＵＴＲＡＮ内のｅＮＢ（無線基地局）が、輻輳を検出した場合、ＭＭＥ（移動管理ノード）に対して、その旨を通知する工程と、ＭＭＥが、かかる通知を受信した場合で、かつ、ＵＴＲＡＮ/ＧＥＲＡＮ側で輻輳が発生していない場合に、ＰＣＲＦ内のＰＤＦから、ｅＮＢで設定されているＳ１ベアラを利用しているＵＥに係る課金体系情報、及び、Ｓ１ベアラ内のフロー単位の通信サービス種別情報を取得する工程と、ＭＭＥが、かかる課金体系情報及びフロー単位の通信サービス種別情報に基づいて、Ｓ-ＧＷに対して、かかるＳ１ベアラ内の特定のフロー若しくは移動局ＵＥについてＵＴＲＡＮ/ＧＥＲＡＮに対してハンドオーバを行うように指示する工程とを有することを要旨とする。
【０１０５】
本実施形態の第６の特徴は、Ｅ-ＵＴＲＡＮ及びＵＴＲＡＮ/ＧＥＲＡＮを具備する移動通信システムで用いられるＭＭＥであって、Ｅ-ＵＴＲＡＮ内のｅＮＢから、輻輳を検出した旨の通知を受信するように構成されている受信部３１と、かかる通知を受信した場合で、かつ、ＵＴＲＡＮ/ＧＥＲＡＮ側で輻輳が発生していない場合に、ＰＣＲＦ内のＰＤＦから、ｅＮＢで設定されているＳ１ベアラを利用しているＵＥに係る課金体系情報、及び、かかるＳ１ベアラ内のフロー単位の通信サービス種別情報を取得するように構成されている取得部３２と、かかる課金体系情報及び通信サービス種別情報に基づいて、Ｓ-ＧＷに対して、かかるＳ１ベアラ内の特定のフロー若しくは移動局ＵＥについてＵＴＲＡＮ/ＧＥＲＡＮに対してハンドオーバを行うように指示するように構成されている送信部３４とを具備することを要旨とする。
【０１０６】
なお、上述のＵＥやｅＮＢやＭＭＥやＳ-ＧＷやＰ-ＧＷやＰＣＲＦやＳＧＳＮやＲＮＣやＮｏｄｅＢやＨＳＳ等の動作は、ハードウェアによって実施されてもよいし、プロセッサによって実行されるソフトウェアモジュールによって実施されてもよいし、両者の組み合わせによって実施されてもよい。
【０１０７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＭＭＥやＳ-ＧＷやＰ-ＧＷやＰＣＲＦやＳＧＳＮやＲＮＣやＮｏｄｅＢやＨＳＳ等内に設けられていてもよい。また、かかる記憶媒体及びプロセッサは、ディスクリートコンポーネントとしてＵＥやｅＮＢやＭＭＥやＳ-ＧＷやＰ-ＧＷやＰＣＲＦやＳＧＳＮやＲＮＣやＮｏｄｅＢやＨＳＳ等内に設けられていてもよい。
【０１０９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１０】
ＵＥ…移動局
ｅＮＢ、ＮｏｄｅＢ…無線基地局
ＭＭＥ…移動管理ノード
Ｓ-ＧＷ…サービングゲートウェイ装置
Ｐ-ＧＷ…パケットデータネットワークゲートウェイ装置
ＰＣＲＦ…ポリシー及び課金ルールサーバ装置
ＳＧＳＮ…パケット交換機
ＲＮＣ…無線回線制御局
ＨＳＳ…
１１…検出部
１２、２３、３４…送信部
２１、３１…受信部
２２…ＰＤＦ
３２…取得部
３３…判断部
【図１】
0005937806.tif 000002
【図２】
0005937806.tif 000003
【図３】
0005937806.tif 000004
【図４】
0005937806.tif 000005
【図５】
0005937806.tif 000006
【図６】
0005937806.tif 000007
【図７】
0005937806.tif 000008
【図８】
0005937806.tif 000009
【図９】
0005937806.tif 000010
【図１０】
0005937806.tif 000011